(57)【要約】【課題】    架橋ポリエチレン管を床上等に設置する場合に架橋ポリエチレン管を切断等の作業を施すことなく屈曲状態を保持し配管の作業が簡便となる機能を与える。【解決手段】    本案発明の固定金具は架橋ポリエチレン管を屈曲した場合に架橋ポリエチレン管が描く円弧の内外周に支点を有し、架橋ポリエチレン管の弾性による復元応力を阻止する。【選択図】図１
2010117026.tif 000002
【特許請求の範囲】
【請求項１】
架橋ポリエチレン管を円弧状態に維持するための円弧外周側の支点を２箇所とその中間に円弧内周側の支点を有し、架橋ポリエチレン管を屈曲した場合にその屈曲状態の保持を可能とし、架橋ポリエチレン管装着時にも露出する取り付けボルト孔を備え、床等に設置後にも架橋ポリエチレン管の着脱を容易とすることを特徴とする架橋ポリエチレン管固定金具。
【発明の詳細な説明】
【技術分野】
【０００１】本発明は温度９０℃以下の水に使用する架橋ポリエチレン管の配管において流水方向を直線状態から直角方向に変更ならしめる配管固定金具に関する。
【背景技術】
【０００２】  従来の配水システムにおいては、配水管を床上や壁上等に設置する場合にその配水管を屈曲する際、配水管を切断しそれに配水管継手としてエルボ、ティーズ等を装着し配水管の流水方向を変更する工法が採られている。【０００３】  他方、かかる流水方向の変更にはサドルバンドを配水管の屈曲部近傍に配し、床上等に固着することにより配水管の屈曲を可能とするものである。【０００３】  しかし、これ等の工法には以下の欠点が存在する。【０００４】  すなわち、配水管継手を使用する場合には配水管継手と配水管との間に溶着、圧着を問わず、接着箇所には時間の経過に伴い当該箇所の劣化から水漏れ等という事故発生の可能性が否定されない。更に、配管継手という資材の増加やその設置工法といった労力が必要となる。【０００５】  サドルバンドを使用する場合には、配水管の屈曲部とその支点となるサドルバンドとの距離が一定以下の場合にはクリープ変形を生じることになる。また、架橋ポリエチレン管は日本工業規格により一定の引張降伏強さ、耐圧性、熱間内圧クリープ性が求められ、手加工による屈曲の成形が困難である。
【発明の開示】
【発明が解決しようとする課題】
【０００５】  以上に述べた従来の欠点を克服するためには配水管である架橋ポリエチレン管を切断することなく、また、クリープ変形を伴わない架橋ポリエチレン管の屈曲を可能ならしめることにある。【０００６】  更に、上述の架橋ポリエチレン管の剛性をもっても手動による屈曲作業が容易となるよう思索するものである。【０００７】  そして、本発明は、設置後の配水管が床上等に固定されウォーターハンマー等の配水管内部の圧力の変化にも対応し、配水管自体が自在に移動することを阻止するものである。【０００８】  本発明は上述の通り剛性の高い架橋ポリエチレン管を切断することなく、またクリープ変形を伴わずに屈曲を可能とするものである。このため、クリープ変形を生じない最小限の円弧を架橋ポリエチレン管に与えるものである。【０００９】  通常、かかるクリープ変形を生じさせない最小限の円弧を架橋ポリエチレン管に成形するためには求める形状の中空部を有する金型等に架橋ポリエチレン管を装着する方法が考えられる。【００１０】  かかる挿入については当該金型等の開口部の一端から架橋ポリエチレン管を挿入していく方法や当該金型等を分割し所定の中空部に架橋ポリエチレン管を設置後に当該金型等を組み立てる方法も考えられる。【００１１】  しかし、かかる作業は架橋ポリエチレン管の外形部の損傷や作業の困難性が予想されるところである。
【課題を解決するための手段】
【００１１】  そこで本案発明においては架橋ポリエチレン管に円弧を与えるべく、架橋ポリエチレン管を屈曲させる円弧と直線部との交点の円弧外側に支点を設け、一方、円弧の中心部分の円弧内側に支点を設け、架橋ポリエチレン管の屈曲のための円弧成形を実現するものである。【００１２】  当該支点は架橋ポリエチレン管がその弾性による復元応力で所定の円弧形状を保持し、本案発明の固定金具から架橋ポリエチレン管が外れないように規制する最小限の轍状の架橋ポリエチレン管の外形と同形状の溝を有し、本案発明の固定金具の所定の円弧形状以下に架橋ポリエチレン管を曲げた場合には当該支点の規制が及ばず、本案発明の固定金具から架橋ポリエチレン管が着脱自在となるのである。【００１３】  そして、架橋ポリエチレン管を本案発明の固定金具に装着した状態で本案発明の固定金具を床等に木ねじ等で固着するための台座部分を有し、架橋ポリエチレン管を屈曲成形後に本案発明の固定金具を床等に固着し得ることを可能とするものである。
【発明の効果】
【００１４】  上述のとおり、本案発明の固定金具を使用することにより、架橋ポリエチレン管を切断し所定の官継手を使用することで、時間の経過に伴う劣化による接着面からの漏水を阻止することが実現でき、無用な部品点数の増加や設置工程の削減を図ることができる。【００１５】  また、架橋ポリエチレン管の屈曲によるクリープ変形を生じることなく手作業による架橋ポリエチレン管の屈曲成形を容易ならしめる。【００１６】  一方、架橋ポリエチレン管を本案発明の固定金具に装着した状態で床等に木ねじ等で固着することのできる台座部分を有するため、架橋ポリエチレン管を本案発明の固定金具に装着後、固着すべき床等の場所の選択が容易となり、更には本案発明の固定金具を床等に固着後であっても架橋ポリエチレン管のみの取替え作業も容易となる。これによって、経年的に架橋ポリエチレン管が劣化した場合であっても、その取替え作業が簡便となるのである。【００１７】  本案発明の固定金具においては架橋ポリエチレン管との接触部に当該台座部分を設けることも可能であり、デザイン上、優れているともいえるが、上述の本案発明の固定金具と架橋ポリエチレン管の装着後の床等への設置が不可能となることに加えて、台座部分に取り付けた木ねじ等の頭部分と架橋ポリエチレン管とが接触することになり、架橋ポリエチレン管内部の圧力変化や外部圧力による振動等で架橋ポリエチレン管の外形の損傷を引き起こすことも考えられるのである。
【発明を実施するための最良の形態】
【００１８】  以下、本発明の実施の形態を図１に基づいて説明する。【００１９】  図１において、１は架橋ポリエチレン管に対し加圧によって円弧状の屈曲成形をその弾性による復元応力で拡がろうとするのを阻止する円弧外周側の支点であり、２は同様に円弧内周側の支点である。【００２０】  架橋ポリエチレン管を両手でつかみ、架橋ポリエチレン管が山状になるように屈曲させ、山の頂上を支点２に引っ掛け、支点１に架橋ポリエチレン管の山の頂上の両端を挿入する。これで屈曲圧力を開放しても、すなわち、両手を離しても架橋ポリエチレン管は一定の円弧上の屈曲状態が保持されるのである。【００２１】  ３は屈曲した架橋ポリエチレン管を床等に木ねじなどで固定するためのボルト孔であり、４はその台座である、この台座は本案発明の固定金具に架橋ポリエチレン管を装着した状態でも露出しており、架橋ポリエチレン管を屈曲成形した後であっても床等に設置することを可能とするものである。【００２２】  なお、本案発明の架橋ポリエチレン管の固定金具は架橋ポリエチレン管のみに止まらず、屈曲成形可能なパイプ類はもとより、電線ケーブル等の金属線等の床等への設置についても応用し得るものである。
【図面の簡単な説明】
【００２３】
【図１】  本案発明の実施形態を示す斜視図である。
【符号の説明】
【００２４】  １      円弧外周側の支点
２      円弧内周側の支点
３      木ねじ等のボルト孔
４      ボルト孔の台座
【図１】
2010117026.tif 000003